(57)【要約】  【課題】紙葉類を見開き状態で使用でき、且つ綴じ桿等の綴じ込み体をベースに対して取り付けやすいものとするとともに、綴じ穴から紙葉類が破れることを好適に防止し得る綴じ具、並びに当該綴じ具を備えたファイルを提供する。  【解決手段】綴じ具１を、表紙体Ｋに取り付けられる一対のベース２，２と、相互に対向して延出し且つ紙葉類Ｐをその綴じ穴Ｐｈに挿入した状態で相互に係合することで保持すべく対をなして各ベースに取り付けられる綴じ込み体３，４と、各綴じ込み体３，４の基端部を被覆するようにベース２又は表紙体Ｋに取り付けられるカバー５とを具備するものとして、各綴じ込み体３，４に、ベース２から直線的に立ち上がる起立部３ａ，４ａと、綴じ穴Ｐｈに挿入される綴じ込み本体部３ｂ，４ｂとを形成し、それらの境界を屈曲部位３ｃ，４ｃとして、カバー体５によって起立部３ａ，４ｂ及び屈曲部位３ｃ，４ｃを被覆させた。【選択図】図４
2006102994.tif 000002
【特許請求の範囲】
【請求項１】
表裏対をなす表表紙部及び裏表紙部と、これら表紙部間に介在させた背表紙部とを備えた表紙体に取り付けられ紙葉類に形成された綴じ穴に一部を挿入することで該紙葉類を表表紙部側と裏表紙部側とに振り分けた見開き状態で保持し得る綴じ具であって、
前記表表紙部ないし前記背表紙部の表表紙部側と前記裏表紙部ないし前記背表紙部の裏表紙部側にそれぞれ取り付けられる一対のベースと、相互に対向して延出し且つ前記綴じ穴に挿入した状態で相互に係合することで前記紙葉類を保持すべく対をなして前記各ベースに取り付けられる綴じ込み体と、前記各綴じ込み体の基端部を被覆するように前記ベース又は表紙体に取り付けられるカバー体とを具備してなり、
前記各綴じ込み体に、前記ベースに取り付けられた基端部において一対のベース同士が対向する対向面に対して直線的に立ち上がる起立部と、該起立部から屈曲し且つ起立部とは異なる方向へ延出して前記紙葉類の綴じ穴に挿入される綴じ込み本体部とを形成し、
前記カバー体を、前記各綴じ込み体における起立部から該起立部と綴じ込み本体との境界である屈曲部位とに亘る領域を被覆するものとしていることを特徴とする綴じ具。
【請求項２】
前記綴じ込み本体部を、対向する綴じ込み本体部へ向けて湾曲する形状としている請求項１記載の綴じ具。
【請求項３】
前記起立部を、前記ベースの対向面に対して略直立させている請求項１又は２記載の綴じ具。
【請求項４】
前記起立部のうち前記ベースと接する基端部を、該ベースに貫通させた状態で固定している請求項１、２又は３記載の綴じ具。
【請求項５】
前記綴じ込み体及び前記ベースを金属製とし、前記カバー体を樹脂製としている請求項１、２、３又は４記載の綴じ具。
【請求項６】
前記カバー体に、前記対をなす綴じ込み体の係合状態を維持し又は当該係合状態を解除するロック機構を設けている請求項１、２、３、４又は５記載の綴じ具。
【請求項７】
請求項１乃至６の何れかに記載の綴じ具を備えたファイルであって、
表裏対をなす表表紙部及び裏表紙部、及びこれら表紙部間に介在させた背表紙部とを備えた表紙体と、前記表表紙部ないし前記背表紙部の表表紙部側と前記裏表紙部ないし前記背表紙部の裏表紙部側にそれぞれ前記ベースを取り付けるとともに紙葉類に形成された綴じ穴に前記綴じ込み本体部を挿入することで該紙葉類を表表紙部側と裏表紙部側とに振り分けた見開き状態で保持し得る綴じ具とを具備してなることを特徴とするファイル。
【発明の詳細な説明】
【技術分野】
【０００１】
本発明は、紙葉類を見開き状態で保持し得る綴じ具、及び当該綴じ具を備えたファイルに関するものである。
【背景技術】
【０００２】
書類等の紙葉類を綴じるための綴じ具ないしは斯かる綴じ具を備えたファイル（バインダと称されることもある）には、綴じ込んだ紙葉類を使用者から見て左右又は上下に振り分けて見開き状態で使用できるものがある。このようなものの例としては、一対の表表紙部及び裏表紙部と背表紙部とを備えた表紙体と、この表紙体に取り付けられたベース及び綴じ込み本体部を備えた綴じ具とからなるファイルが挙げられる（例えば、特許文献１参照）。同文献に記載のファイルは、綴じ具におけるベースとして、表紙体の背表紙部に固定されたベース本体と、このベース本体の両側端部においてヒンジにより回動可能に枢着された一対の板材とを備えたものであり、また綴じ込み本体部として、紙葉類に形成された綴じ穴に挿入すべく表表紙側及び裏表紙側の板材にそれぞれ設けられた湾曲形状を有する綴じ桿（同文献の例では各板材につき２本）を備えたものである。なお、ベース本体を挟んで相互に対向する綴じ桿同士は、綴じ穴に挿入されて紙葉類を綴じ込んだ状態で重なり合って係合するように配置されている。上述のように、各綴じ桿は全体として部分円弧状をなすように湾曲した形状を有しているが、詳細に見ると、ベースにおける板材への取り付けを容易化するために、綴じ桿のうち板材に固定される基端部に当該板材から略直立させた部分を形成しており、その直立部分の上端から先端部に亘る領域を湾曲させている。
【特許文献１】特開２００３−３１２１８２公報（図３等）
【発明の開示】
【発明が解決しようとする課題】
【０００３】
ところが、綴じ具の構成を上述のような構成とした場合には、綴じ桿の基端部とその先の湾曲部分との境界である屈曲部位が表出しているため、この屈曲部位に紙葉類の綴じ穴が引っ掛かり、そこから紙葉類が破れてしまうおそれがある。このような不具合は、特に紙葉類を見開いた状態で閲覧や書き込み、あるいはページ捲りをする際に特に顕著である。
【０００４】
そこで本発明は、以上のような問題に鑑みて、綴じ桿等の綴じ込み体をベースに対して取り付けやすいものとするとともに、綴じ穴から紙葉類が破れることを好適に防止し得る綴じ具、並びに当該綴じ具を備えたファイルを提供するものである。
【課題を解決するための手段】
【０００５】
すなわち、本発明の綴じ具は、表裏対をなす表表紙部及び裏表紙部と、これら表紙部間に介在させた背表紙部とを備えた表紙体に取り付けられ紙葉類に形成された綴じ穴に一部を挿入することでこの紙葉類を表表紙部側と裏表紙部側とに振り分けた見開き状態で保持し得る綴じ具であって、表表紙部ないし背表紙部の表表紙部側と裏表紙部ないし背表紙部の裏表紙部側にそれぞれ取り付けられる一対のベースと、相互に対向して延出し且つ綴じ穴に挿入した状態で相互に係合することで紙葉類を保持すべく対をなして各ベースに取り付けられる綴じ込み体と、各綴じ込み体の基端部を被覆するようにベース又は表紙体に取り付けられるカバー体とを具備するものであり、各綴じ込み体に、それぞれベースに取り付けられた基端部において一対のベース同士が対向する対向面に対して直線的に立ち上がる起立部と、この起立部から屈曲し且つ起立部とは異なる方向へ延出して紙葉類の綴じ穴に挿入される綴じ込み本体部とを形成し、カバー体を、各綴じ込み体における起立部からこの起立部と綴じ込み本体との境界である屈曲部位とに亘る領域を被覆するものとしていることを特徴とするものである。
【０００６】
このような構成の綴じ具であると、紙葉類の綴じ穴に挿入される綴じ込み体の基端部に、ベースの対向面に対して直線的に立ち上がる起立部を有しているため、ベースへの取り付け加工の良好な作業性を得ることができ、またベースに対する綴じ込み体の位置決めを好適に行うことができる。そのうえ、この起立部と綴じ込み本体部との境界における屈曲部位は、起立部と共にカバー体によって隠された状態となるため、紙葉類の綴じ穴が屈曲部位に直接引っ掛かって破れることを解消することができる。したがって、本発明の綴じ具で綴じた状態の紙葉類に破損を生じるおそれをなくして、紙葉類を見開いて閲覧、書き込みを行ったりページ捲りを行うことが可能となる。なお、本発明においてベースの具体的形状や構成は特に限定されるものではない。また、綴じ込み体には、いわゆるパイプ式、リングバインダ式（リングの形状は問わない）、MP（マルティプロング）バインダ式、A-Zファイル形式、エキスコンファイル形式等の綴じ穴に挿入して紙葉類を保持する形式のいずれのものも含まれ、紙葉類に形成される綴じ穴の数に応じて適当数の綴じ込み体を備えていればよい。さらに、起立部のベースにおける対向面に対する起立角度は適宜に設定することができる。
【０００７】
紙葉類を見開きにしてページを捲る際に、綴じ込み体の何れの部位にも綴じ穴を引っ掛けることなくスムーズなページめくりを実現するには、綴じ込み本体部を、対向する綴じ込み本体部へ向けて湾曲する形状とすることが好ましい。
【０００８】
また、綴じ込み体のベースに対する取り付け作業及び位置決めを極めて効率の良いものとするには、綴じ込み体における起立部を、ベースの対向面に対して略直立させることが好適である。
【０００９】
さらに、綴じ込み体のベースに対する安定性を向上するには、起立部のうちベースと接する基端部を、当該ベースに貫通させた状態で固定するとよい。
【００１０】
特に綴じ込み体及びベースを金属製とし、カバー体を樹脂製とすれば、綴じ具の耐久性を向上しつつ、紙葉類のカバー体への当たりを柔らかいものとして破損防止をさらに適切に図ることができる。なおこの場合、綴じ込み体のベースへの取付態様には、カシメ、溶接、ネジ止め等のうち適切な態様を選択することができる。
【００１１】
また、カバー体に綴じ込み体の基端部及び屈曲部位の保護機能以外の機能をも付与して、綴じ具の小型化を実現する好適な一例としては、カバー体に、対をなす綴じ込み体の係合状態を維持し又は当該係合状態を解除するロック機構を設けたものを挙げることができる。
【００１２】
また本発明に係るファイルは、上述のような綴じ具を備えたものである。詳述すれば、表裏対をなす表表紙部及び裏表紙部、及びこれら表紙部間に介在させた背表紙部とを備えた表紙体と、前記表表紙部ないし前記背表紙部の表表紙部側と前記裏表紙部ないし前記背表紙部の裏表紙部側にそれぞれ前記ベースを取り付けるとともに紙葉類に形成された綴じ穴に前記綴じ込み本体部を挿入することで該紙葉類を表表紙部側と裏表紙部側とに振り分けた見開き状態で保持し得る綴じ具とを備えてなることを特徴としており、このような綴じ具を設けることにより、上述したような作用効果を得ることができる。なお、本発明において「ファイル」の概念には、一般に綴じ具を備えた「バインダ」と称されるものも含まれる。
【発明の効果】
【００１３】
本発明の綴じ具は、紙葉類の綴じ穴に挿入される綴じ込み体の基端部に、ベースの対向面に対して直線的に立ち上がる起立部を有しており、この起立部から異なる方向へ延出させた綴じ込み本体部を紙葉類の綴じ穴へ挿入し得るものとしている。したがって、まず綴じ込み体に起立部を形成していることから、ベースへの取り付け加工の良好な作業性を得ることができ、またベースに対する綴じ込み体の位置決めを好適に行うことができる。次に、起立部と、当該起立部と綴じ込み本体部との境界における屈曲部位とは、カバー体で隠蔽された状態とすることができるため、紙葉類の綴じ穴が屈曲部位に直接引っ掛かって破れることを解消することができる。したがって、このような綴じ具を有するファイルに紙葉類を綴じて保持させた場合、紙葉類の綴じ穴からの破損が生じる可能性が極力低減され、斯かる破損を生じるおそれをなくして紙葉類を見開いた状態で閲覧、書き込みを行ったりページ捲りを行うことが可能である。
【発明を実施するための最良の形態】
【００１４】
以下、本発明の一実施形態を、図面を参照して説明する。
【００１５】
各図に示すこの実施形態は、紙葉類Ｐ（図４参照）を綴じるための２穴式綴じ具１を備えたファイルＦを示すものである。すなわちこのファイルＦは、表紙体Ｋと、この表紙体Ｋに取り付けられた綴じ具１とから構成される。なお、綴じ具１によって綴じられる紙葉類Ｐには、２穴規格に従って形成された綴じ穴Ｐｈが形成されている。またこのファイルＦに綴じられる紙葉類Ｐは、例えばＡ４判の規格を有するものである。
【００１６】
まず表紙体Ｋは、図１〜図４に一部を省略して示しているが、紙葉類Ｐよりも一回り大きい平面視形状を有する表表紙部Ｋ１及び裏表紙部Ｋ２と、これら表表紙部Ｋ１と裏表紙部Ｋ２との間に介在させた背表紙部Ｋ３とを一体に有するものである。表表紙部Ｋ１と背表紙部Ｋ３、及び裏表紙部Ｋ２と背表紙部Ｋ２の間には、それぞれ表紙体Ｋの素材を薄肉としたヒンジＫｈ１，Ｋｈ２を形成している。また、背表紙部Ｋ２の幅方向中央部には、前記ヒンジＫｈ１と平行に延び且つ外側から見て背表紙部Ｋ３自体を谷折りとするヒンジＫｈ３を同様に形成しており、さらに表表紙部Ｋ１及び裏表紙部Ｋ２のそれぞれ背表紙部Ｋ２近傍である基端部にも、同様にして外側から見て各表紙部Ｋ１，Ｋ２を山折りとするヒンジＫｈ４，Ｋｈ５を形成している。ここで、表表紙部Ｋ１においてヒンジＫｈ１とヒンジＫｈ４との間の上下に矩形帯状をなす領域を便宜的に基端領域Ｋ１ａと称し、同様に裏表紙部Ｋ２においてヒンジＫｈ２とヒンジＫｈ５との間の上下に矩形帯状をなす領域を便宜的に基端領域Ｋ２ａと称することとする。なお、この表紙体Ｋは本実施形態では紙製板材を採用しているが、一般的なファイルの表紙体に適用される樹脂や金属等の板材を採用することも可能である。
【００１７】
綴じ具１は、図１〜図４に示すように、湾曲した形状を有するの綴じ込み体３，４を綴じ穴Ｐｈに挿入することで紙葉類Ｐを表紙体Ｋ内に保持し、表表紙部Ｋ１と裏表紙部Ｋ２とを背表紙部Ｋ３に対して開き紙葉類Ｐを表表紙部Ｋ１側と裏表紙部Ｋ２側とに振り分けて見開いた状態で閲覧等ができるようにしたものである。具体的にこの綴じ具１は、表紙体Ｋに取り付けられた一対のベース２と、これらベース２に取り付けられた綴じ込み体たる綴じ軸３及び綴じ管４と、ベース２を覆うように表紙体Ｋに取り付けられたカバー体５とから構成される。以下、各部の構成について詳述する。
【００１８】
一対のベース２，２は、図４に示すように、表紙体Ｋの高さ方向中央部において、表表紙部Ｋ１の基端領域Ｋ１ａにおける内面側と裏表紙部Ｋ２の基端領域Ｋ２ａにおける内面側に対向するように取り付けられる概略矩形板状をなす部材であって、共に同一形状及び同一構成を有している。これらベース２には、例えばスチール等の金属製の素材を採用している。各ベース２には、綴じ軸３と綴じ管４とを上下に離間させて１つずつ取り付けており、一方のベース２に取り付けられた綴じ軸３は、他方のベース２に取り付けられた綴じ管４に挿入されるようにしてある。ここで、各ベース２のヒンジＫｈ１，Ｋｈ２側の領域はそれぞれ基端領域Ｋ１ａ，Ｋ２ａに当接した状態で取り付けられるが、ヒンジＫｈ４，Ｋｈ５側の領域は、綴じ軸３及び綴じ管４を取り付けるために基端領域Ｋ１ａ，Ｋ２ａから若干浮上させており、綴じ軸３及び綴じ管４を貫通させて固定するための取付孔２ｈを開口させている。
【００１９】
綴じ込み体の一方の要素である綴じ軸３は、ベース２に取り付けられる基端部を一対のベース２，２同士が対向する対向面２ａに対して略垂直に直立する起立部３ａとし、この起立部３ａから先端部に亘って部分円弧状に湾曲する綴じ込み本体部３ｂとして、起立部３ａと綴じ込み本体部３ｂとの境界部分を屈曲部分３ｃとしたものである。また、本実施形態において起立部３ａは、ベース２の取付孔２ｈに挿入した状態でカシメることによって、ベース２に固定されている。
【００２０】
綴じ込み体の他方の要素である綴じ管４は、綴じ軸３と同様に、ベース２に取り付けられる基端部を一対のベース２，２同士が対向する対向面２ａに対して略垂直に直立する起立部４ａとし、この起立部４ａから先端部に亘って部分円弧状に湾曲する綴じ込み本体部４ｂとして、起立部４ａと綴じ込み本体部４ｂとの境界部分を屈曲部分４ｃとしたものである。また、本実施形態において起立部４ａは、ベース２の取付孔２ｈに挿入した状態でカシメることによって、ベース２に固定されている。
【００２１】
カバー体５は、背表紙部Ｋ３におけるヒンジＫｈ３よりも表表紙部Ｋ１側から表表紙部Ｋ１の基端領域Ｋ１ａに亘って取り付けられる第１カバー部材５１と、背表紙部Ｋ３におけるヒンジＫｈ３よりも裏表紙部Ｋ２側から表表紙部Ｋ２の基端領域Ｋ２ａに亘って取り付けられる第２カバー部材５２との２つの部材により構成されるものである。本実施形態ではこれら第１カバー部材５１と第２カバー部材５２とを、共に合成樹脂素材の一体成形品としている。第１カバー部材５１は、一方のベース２を完全に覆い隠すように表表紙部Ｋ１の基端領域Ｋ１ａに取り付けられるカバー部５１１と、このカバー部５１１に連設されて背表紙部Ｋ３の下半部に取り付けられる基台部５１２とを備えている。同様に第２カバー部材５２は、他方のベース２を完全に覆い隠すように裏表紙部Ｋ２の基端領域Ｋ２ａに取り付けられるカバー部５２１と、このカバー部５２１に連設されて背表紙部Ｋ３の下半部に取り付けられる基台部５２２とを備えている。両カバー部５１１，５２１の各基端領域Ｋ１ａ，Ｋ２ａと当接する側の面には、それぞれベース２，２を包み込む形状の凹部５１１ａ，５２１ａを形成しており、これら凹部５１１ａ，５２１ａ内に各ベース２，２を収容した状態で、例えば樹脂製ファスナｆｓによりベース２，２と共に各基端領域Ｋ１ａ，Ｋ２ａに固定している。
【００２２】
一方、基台部５１２，５２２は、綴じ軸３と綴じ管４とを挿入により係合させた状態を維持し又はその状態を解除するロック機構Ｒを内蔵するものである。具体的に基台部５１２，５２２は、それぞれ背表紙部Ｋ３の下端近傍からカバー部５１１，５１２の下端近傍まで延びて樹脂製ファスナ等の固定部材（図示省略）により取り付けられる板状部５１２ａ，５２２ａと、これら板状部５１２ａ，５２２ａの上端と各カバー部５１１，５１２とに連続して矩形状に膨出するブロック部５１２ｂ，５２２ｂとを主体とする。なお、これらブロック部５１２ｂ，５２２ｂも樹脂製ファスナ等の固定部材によって背表紙部Ｋ３にそれぞれ取り付けられており、それらの膨出厚は綴じ軸３や綴じ管４には到達しない程度である。第２カバー部材５２側の板状部５２２ａ及びブロック部５２２ｂは、共に内部が中空であり、ブロック部５２２ｂ内には対向するブロック部５１２ｂ側へ向けて湾曲して延びるロック爪Ｒａを内蔵している。このロック爪Ｒａは、ブロック部５２２ｂ内及び板状部５２２ａ内を上下方向にスライド移動可能に設けられたスライド軸Ｒｂの先端部近傍及び長手方向中央部近傍に上下対にして形成されたものである。またこのスライド軸Ｒｂの下端部は板状部５２２ａの下端から下方へ突出し得るように設けられており、当該下端にはブロック状をなす操作体Ｒｃが一体的に設けられている。なお、図示しないが、スライド軸Ｒｂの適宜箇所には、ロック爪Ｒａ、スライド軸Ｒｂ、及び操作体Ｒｃを一体に背表紙部Ｋ３の下端側へ弾性付勢する付勢手段を設けている。本実施形態ではこの付勢手段として、スライド軸Ｒｂの上端部を部分的に薄肉として連続する襞状に形成した樹脂バネを採用しており、この樹脂バネの上端部をブロック部５２２ｂの上端部に下方から当接させることで、ロック爪Ｒａ、スライド軸Ｒｂ、及び操作体Ｒｃを一体として下方へ弾性付勢させている。また、ロック爪Ｒａには、その延出方向へ基端側から先端側に向けて段階的に２つのフックＲａ１，Ｒａ２が形成されている。これらフックＲａ１，Ｒａ２は、何れも背表紙部Ｋ３の下端側へ向けて突出する鉤爪状をなすものである。他方、第１カバー部材５１側のブロック部５１２ｂには、ロック爪Ｒａを挿抜可能に係合させるロック孔Ｒｄを対向するブロック部５２２ｂ側へ向けて開口させている。すなわち、カバー体５に設けられたロック機構Ｒは、次の３つの状態を切り替える機能を有している。まず、操作体Ｒｃ及びスライド軸Ｒｂを背表紙部Ｋ３の下端側へ最大に引き出した際には、図１に示すように、ブロック部５１２ｂ，５２２ｂ同士を略当接させ、且つロック爪Ｒａの基端側のフックＲａ１をロック孔Ｒｄと係合させた状態で、綴じ管４内に綴じ軸３を略完全に挿入させた完全閉止状態となる。この状態は、表表紙部Ｋ１と裏表紙部Ｋ２とを対向させてファイルＦを閉じて収納する場合や、綴じられる紙葉類Ｐの紙数が少ないときに表表紙部Ｋ１と裏表紙部Ｋ２とを開いて見開きで使用する場合等に適している。次に、操作体Ｒｃを上方へ一旦押し込んでフックＲａ１とロック孔Ｒｄとの係合を解除させ、先端側のフックＲａ２とロック孔Ｒｄとを係合させた状態では、図２及び図４に示すように、綴じ軸３における綴じ込み本体部３ｂの基端側が綴じ管４から抜出し先端部が挿入された半開状態となる。このとき、背表紙部Ｋ３のヒンジＫｈ３は、表紙体Ｋの外面側から見て浅い谷折りとなる。この状態は、表表紙部Ｋ１と裏表紙部Ｋ２とを対向させてファイルＦを閉じて収納する場合や、綴じられる紙葉類Ｐの紙数が多いときに表表紙部Ｋ１と裏表紙部Ｋ２とを開いて見開きで使用する場合等に適している。最後に、操作体Ｒｃをさらに上方へ一旦押し込んでフックＲａ２とロック孔Ｒｄとの係合を解除させた状態では、図３に示すように、綴じ軸３が綴じ管４から完全に抜出した全開状態となる。このとき、背表紙部Ｋ３のヒンジＫｈ３は、表紙体Ｋの外面側から見て深い谷折りとなる。この状態は、紙葉類Ｐの加除を行う場合に適している。このように、ロック機構Ｒは綴じ具１を３段階のうちいずれかの状態を選択的に形成することができるものであり、このファイルＦを用いて紙葉類Ｐをその紙数に応じて適切に見開き状態で使用できるようにするものである。
【００２３】
以上に詳述したように、本実施形態のファイルＦにおいて綴じ具１は、ベース２と、このベース２に取り付けられた綴じ込み体として綴じ軸３及び綴じ管４と、これら綴じ軸３及び綴じ管４の基端部を被覆するカバー体５をと備えたものとしたものである。特に綴じ軸３及び綴じ管４の基端部をベース２の対向面２ａ，２ａから略垂直に立ち上がる起立部３ａ，４ａとしているため、カシメ等の工法で綴じ軸３及び綴じ管４をベース２に貫通させて取り付ける際の綴じ軸３及び綴じ管４の位置決めと作業の容易性を向上させている。そして、このような起立部３ａ，４ａを綴じ軸３及び綴じ管４に形成しているにも拘わらず、この起立部３ａ，４ａから屈曲部位３ｃ，４ｃまでの領域をカバー体５のカバー部５１１、５２１により完全に覆い隠しているため、綴じ込んだ紙葉類Ｐの綴じ穴Ｐｈが屈曲部位３ｃ，４ｃに接触することがないので、綴じ穴Ｐｈからの紙葉類Ｐの破損を好適に防止することができる。
【００２４】
また、綴じ軸３及び綴じ管４において、屈曲部位３ｃ，４ｃから先端部側の領域は、紙葉類Ｐの綴じ穴Ｐｈに直接的又は間接的に挿入される湾曲形状を有した綴じ込み本体部３ｂ，４ｂとしているため、特に紙葉類Ｐを見開きにした状態でのページ捲りを極めてスムーズに行うことができ、このことからも綴じ穴Ｐｈからの紙葉類Ｐの破損を防止することができる。
【００２５】
さらに、カバー体５にはこのファイルＦの表表紙部Ｋ１及び裏表紙部Ｋ２を開いて紙葉類Ｐを見開き状態で閲覧や書き込み等の使用を可能とするように、綴じ軸３及び綴じ管４を係合させた状態に維持するロック機構Ｒを内蔵させているため、上述した構成の他に見開き状態を確保するための機構を設ける必要がなく、綴じ具１自体の小型化を有効に図ることができる。
【００２６】
なお、本発明は上述した実施形態に限られるものではない。特に綴じ込み体としては、対向する一対のベースからそれぞれ延出して先端部同士で係合する鉤爪を有する綴じ軸や、同じく先端部同士で刺さり合って凹凸係合する突起又は凹部を有する綴じ軸や、上述した特許文献１に記載のもののように相互に重なり合って係合する綴じ軸や、直線的に挿抜される綴じ軸及び綴じ管からなるものなど、適宜の態様を採用することができ、綴じ込み体の本数も紙葉類の綴じ穴の数に応じて適宜の数とすることができる。また、綴じ込み体自体で紙葉類の見開き状態を維持できる構成であれば、特に本実施形態のようなロック機構を設ける必要はなく、ロック機構を設ける場合であってもそれを必ずしもカバー体に内蔵させる必要もない。その他、ベースやカバー体の等の具体的構成についても上記実施形態に限られるものではなく、本発明の趣旨を逸脱しない範囲で種々変形が可能である。
【図面の簡単な説明】
【００２７】
【図１】本発明の一実施形態に係る綴じ具を適用したファイルの中央部における下端部を、綴じ具の閉止状態について示す概略的な斜視図。
【図２】同ファイルの中央部における下端部を、綴じ具の半開状態について示す概略的な斜視図。
【図３】同ファイルの中央部における下端部を、綴じ具の全開状態について示す概略的な斜視図。
【図４】図２に対応する部分断面図。
【符号の説明】
【００２８】
１…綴じ具
２…ベース
３，４…綴じ込み体（綴じ軸，綴じ管）
３ａ，４ａ…起立部
３ｂ，４ｂ…綴じ込み本体部
３ｃ，４ｃ…屈曲部位
５…カバー体
Ｆ…ファイル
Ｋ…表紙体
Ｋ１…表表紙部
Ｋ２…裏表紙部
Ｋ３…背表紙部
Ｒ…ロック機構
Ｐ…紙葉類
Ｐｈ…綴じ穴
【図１】
2006102994.tif 000003
【図２】
2006102994.tif 000004
【図３】
2006102994.tif 000005
【図４】
2006102994.tif 000006